(57)【要約】      （修正有）【課題】燃料電池からの排気流路の開口面積を大きくとって、流路の圧力損失を低減し、排気効率を向上させる。【解決手段】電動機１５と、この電動機に電力を供給する空冷式の燃料電池２０と、この燃料電池に供給する燃料ガスを貯蔵する燃料タンク２１とを備えた燃料電池二輪車１０において、駆動輪を構成する後輪１４を上側および後側から覆うリアフェンダ３１がスイングアーム３４に取り付けられて後輪と共に上下揺動可能に設けられ、燃料電池２０に反応用兼冷却用空気を供給するファン５７と、このファンにより供給され、燃料電池２０を冷却した空気を車両後部に排出する排気ダクト５９とが設けられ、排気ダクト５９には、車両後方側にダクト入口が接続され、リアコンビネーションランプ６０上側に開口する上側排気流路６１と、リアコンビネーションランプ６０下側の後部ボディカバー下面に開口する下側排気流路６２とが分岐して設けられたことを特徴とする。【選択図】図３
2015077916.tif 000002
【特許請求の範囲】
【請求項１】
駆動輪を駆動する電動機と、この電動機に電力を供給する空冷式の燃料電池と、この燃料電池に供給する燃料ガスを貯蔵する燃料タンクとを備えた燃料電池二輪車において、
前記駆動輪を構成する後輪を上側および後側から覆うリアフェンダが後輪を回転自在に支持するスイングアームに取り付けられて前記後輪と共に上下揺動可能に設けられ、
前記燃料電池に反応用兼冷却用空気を供給するファンと、このファンにより供給され、前記燃料電池を冷却した空気を車両後方に排出する排気ダクトとが設けられ、
前記排気ダクトには、前記燃料電池の車両後方側にダクト入口が接続され、車両後部に配置されたリアコンビネーションランプを迂回して前記リアコンビネーションランプ上側に開口する上側排気流路と、前記リアコンビネーションランプ下側の後部ボディカバー下面に開口する下側排気流路とが分岐して設けられたことを特徴とする燃料電池二輪車。
【請求項２】
前記排気ダクトの下側排気流路は、前記リアフェンダの接線方向へ後下向きに排気するように下側排気口を指向された請求項１に記載の燃料電池二輪車。
【請求項３】
前記後部ボディカバー下面と前記後輪を覆うリアフェンダとの間にリアスペーサ領域が形成され、
前記リアスペーサ領域に、前記下側排気流路からの下側排気口が開口された請求項１または２に記載の燃料電池二輪車。
【請求項４】
前記燃料電池の車両後部の排気面側に排気プレナムを介してファンが設置され、このファンに前記排気ダクトが接続される一方、
前記燃料電池の吸気面側が、中央ボディカバーの車両前面に開口する吸気取入口に、車両前後方向に延びる吸気通路を介して連通された請求項１に記載の燃料電池二輪車。
【請求項５】
前記吸気通路は、前記中央ボディカバーで覆われ、前記吸気取入口からの吸入空気が燃料タンクの周囲を車両後方側に流れるように構成され、
前記吸気通路には、前記燃料タンクの後端部から前記燃料電池に向って延びる吸気ダクトが設けられた請求項４に記載の燃料電池二輪車。
【発明の詳細な説明】
【技術分野】
【０００１】
本発明は、空冷式の燃料電池を搭載した燃料電池二輪車に係り、特に、燃料電池からの排気通路の通気抵抗を低減させ、排気効率を向上させた燃料電池二輪車に関する。
【背景技術】
【０００２】
燃料電池二輪車では、燃料電池が発電した電力によりモータを駆動し、駆動輪を回転させ、走行させるようになっている。従来の燃料電池車両は、比較的大電力を発電可能な水冷式燃料電池を備えたものと、発生電力が数ｋＷという比較的小電力である空冷式燃料電池を備えたものがある。
【０００３】
空冷式の燃料電池は、発生電力が比較的小電力であるものの、水冷式燃料電池の冷却システムに備わるラジエータ、冷却水ポンプ、リザーバタンク等が不要であり、発電に伴い発生する熱を反応ガスとしての空気で冷却できる。空冷式燃料電池は、空気流路の圧力損失が低く、冷却システムは補機としてコンプレッサに換えて、ファンで足りるシンプルなシステム構成を有するとともに、補機であるファンの消費電力を低く抑えることができる。
【０００４】
空冷式燃料電池を搭載した燃料電池二輪車では、燃料電池に反応用兼冷却用空気をファンにより導入し、供給している。燃料電池に導入される空気には、燃料電池で燃料としての水素を電気化学反応させる酸化剤としての機能と、燃料電池を冷却する冷却剤としての機能とがある。燃料電池では、発電に伴い発生する熱を反応ガスである空気で冷却している。
【０００５】
燃料電池二輪車において、燃料電池で反応用および冷却用に供された空気は、排気となって燃料電池の後方に設けられた排気ダクトから車両外部に排気される。従来の燃料電池二輪車の排気構造では、燃料電池の後方に設けられる排気ダクトは、車両後方のコンビネーションランプを迂回するように上側排気通路と下側排気通路が分岐して設けられ、燃料電池を冷却した後の空気を上側および下側の排気口から車両後方に排気している（特許文献１参照）。
【先行技術文献】
【特許文献】
【０００６】
【特許文献１】特開２０１０−２４７５７４号公報
【発明の概要】
【発明が解決しようとする課題】
【０００７】
特許文献１に記載の燃料電池二輪車では、後輪を覆うリアフェンダが後部ボディカバーの底部を覆うように設けられ、リアフェンダは車両本体側に設けられる。このため、リアコンビネーションランプ下側に形成された排気ダクトの下側排気流路は排気口が車両水平方向の後方に開口している。
【０００８】
したがって、排気ダクトに上側排気流路から分岐された下側排気流路を設けたにも拘わらず、排気流路の流路面積を大きくとることができず、リアコンビネーションランプの上下位置に形成される排気流路の開口面積に限りがある。リアコンビネーションランプ下側スペースを利用して下側排気流路を設けても、排気開口部の開口面積に限りがあるため、燃料電池の高負荷運転時のような排気流量増加時に、排気流路の圧力損失が大きくなり、排気流量をスムーズに増大させることが困難であった。
【０００９】
本発明は、上述した事情を考慮してなされたもので、燃料電池からの排気流路の開口面積を大きくとって、流路の圧力損失を低減し、排気効率を向上させて、燃料電池の発電効率を向上させた燃料電池二輪車を提供することを目的とする。
【００１０】
本発明の他の目的は、燃料電池を冷却した空気を車両走行の負圧空間を利用した吸出し効果により、排気流路の圧力損失を低減させて排気効率を向上させる一方、排気により後輪の泥跳ねや水跳ねの車両後部へのまきあげを積極的に抑制させた燃料電池二輪車を提供するにある。
【課題を解決するための手段】
【００１１】
本発明に係る燃料電池二輪車は、駆動輪を駆動する電動機と、この電動機に電力を供給する空冷式の燃料電池と、この燃料電池に供給する燃料ガスを貯蔵する燃料タンクとを備えた燃料電池二輪車において、前記駆動輪を構成する後輪を上側および後側から覆うリアフェンダが後輪を回転自在に支持するスイングアームに取り付けられて前記後輪と共に上下揺動可能に設けられ、前記燃料電池に反応用兼冷却用空気を供給するファンと、このファンにより供給され、前記燃料電池を冷却した空気を車両後方に排出する排気ダクトとが設けられ、前記排気ダクトには、前記燃料電池の車両後方側にダクト入口が接続され、車両後部に配置されたリアコンビネーションランプを迂回して前記リアコンビネーションランプ上側に開口する上側排気流路と、前記リアコンビネーションランプ下側の後部ボディカバー下面に開口する下側排気流路とが分岐して設けられたことを特徴とするものである。
【発明の効果】
【００１２】
本発明に係る燃料電池二輪車は、燃料電池からの排気流路の開口面積を大きくとることができ、流路の圧力損失を低減し、排気効率を向上させて、燃料電池の発電効率を向上させることができる。
【００１３】
また、本発明に係る燃料電池二輪車は、車両走行に伴う負圧空間に吸出し効果を利用して排気ダクトの排気口から、燃料電池からの排気を排出させ、排気流路の圧力損失を低減させて、排気効率を向上させる一方、排気により後輪の泥跳ねや水跳ねの車両後部への巻き上げを積極的に抑制することができる。
【００１４】
さらに、本発明に係る燃料電池二輪車においては、外部の動力源を用いることなく、燃料タンクに貯蔵された燃料ガスの断熱膨張を利用して、燃料電池への反応用兼冷却用の供給空気を積極的かつ強制的に冷却し、燃料電池の発電効率を向上させ、燃料電池の長寿命化が図れるようにした発電技術を提供するものである。
【図面の簡単な説明】
【００１５】
【図１】本発明の実施の形態に係る燃料電池二輪車の車両全体を示す左側外観図。
【図２】燃料電池二輪車の車両外装を部分的に切欠いて内部構造を示す左側面図。
【図３】燃料電池二輪車から車体外装を取り除いて示す斜視図。
【図４】燃料電池二輪車に備えられる燃料電池を右側前方から見た斜視図。
【図５】燃料電池二輪車に備えられる燃料電池を左側後方から見た斜視図。
【図６】燃料電池二輪車の車両後部を示す左側面図。
【図７】燃料電池二輪車の車両後部の上部を左後方から見た斜視図。
【図８】図２のＶＩＩＩ−ＶＩＩＩ線に沿う平面図。
【図９】燃料電池二輪車に備えられる燃料電池の配置構成を車両後方側から見た図。
【図１０】燃料電池システムに備えられる燃料電池の発電原理を示す図。
【図１１】燃料電池二輪車に備えられる空冷式燃料電池システムの配置構成例を示す図。
【発明を実施するための形態】
【００１６】
以下、本発明に係る燃料電池二輪車の実施の形態について、添付図面を参照して説明する。
【００１７】
図１ないし図３は、本発明の実施形態に係る燃料電池二輪車を全体的に示す図である。図１は、燃料電池二輪車１０の外観を示す左側面図であり、図２は、燃料電池二輪車１０の車両外装を部分的に除去して内部構造を示す左側面図、図３は、燃料電池二輪車１０の車両外装を取り除いて示す車両左前上方から見た斜視図である。
【００１８】
また、説明を容易にするため、燃料電池二輪車１０は車両前方側を符号「Ｆ」、車両後方側を符号「Ｒ」でそれぞれ表わす。
【００１９】
図１から図３に示すように、本実施形態に係る燃料電池二輪車１０は、燃料電池から得られる電力を用いて走行する自動二輪車である。
【００２０】
［車両本体の構成］
燃料電池二輪車１０は、スクータ型の自動二輪車である。燃料電池二輪車１０は、車両本体１１（車体）と、操舵輪である前輪１２と、前輪１２を操舵する操向ハンドル１３と、駆動輪である後輪１４と、後輪１４を駆動させるモータ１５と、を備える。モータ１５は駆動輪を駆動する電動機として機能する。
【００２１】
車両本体１１は、主構造部材（メインフレーム）である車体フレーム１７と、車体フレーム１７を覆う車両外装１８と、車体フレーム１７の上方に配置されたシート１９と、を備える。また、車両本体１１は、空冷式の燃料電池２０と、燃料電池２０の発電に用いられる燃料を貯蔵する燃料タンク２１と、燃料電池２０の電力を補助する二次電池２２と、燃料電池２０の出力電圧を調整し、燃料電池２０および二次電池２２の電力分配制御を行う電力管理装置２３と、電力管理装置２３から供給される直流電力を三相交流電力に変換し、モータ１５の運転制御を行うモータコントローラ（図示せず）と、を備える。すなわち、燃料電池二輪車１０のパワートレインは、燃料電池２０および二次電池２２を有するハイブリッドシステムである。
【００２２】
車体フレーム１７は、ヘッドパイプ２６と、上部ダウンフレーム２７と、左右一対の下部ダウンフレーム２８と、左右一対のアッパーフレーム２９と、左右一対のロアーフレーム３０と、を備え、メインフレームを構成している。
【００２３】
ヘッドパイプ２６は、車両本体１１の前部にフォーク式のフロントフォーク３２を軸支する。
【００２４】
上部ダウンフレーム２７は、ヘッドパイプ２６の上部に接続され、車両本体１１の後方に向かって後下がりに傾斜して設けられる。
【００２５】
下部ダウンフレーム２８は、ヘッドパイプ２６の下部からほぼ真下あるいは後下方に向かって延在される。
【００２６】
アッパーフレーム２９は、車両本体１１の前半部において下部ダウンフレーム２８の下端から上部ダウンフレーム２７の下部を経て車両本体１１の後方向に延び、車両本体１１の後半部において車両本体１１の後方に後上がりに滑らかに傾斜している。アッパーフレーム２９の後半部の上方には、シート１９が配置される。
【００２７】
また、アッパーフレーム２９は、車両本体１１の後半部にピボット３３を備える。このピボット３３廻りにスイングアーム３４が揺動自在に支持される。スイングアーム３４の後端部に後輪１４が軸支される一方、スイングアーム３４はリアクッションユニット３５により昇降自在に弾力的に支持される。リアクッションユニット３５はスイングアーム３４の下端部と車体フレーム１７の後部との間に支持される。後輪１４の上方および後方を覆うリアフェンダ３１がばね下に取り付けられて、後輪１４とともに上下揺動可能にもうけられる。
【００２８】
ロアーフレーム３０は、下部ダウンフレーム２８の下端から車両本体１１の下方に向かって延在され、続いて、車両本体１１の下端に達する位置で屈曲される。さらに、ロアーフレーム３０は車両本体１１の前後方向に延在され、車両本体１１の中央部分に達する位置で後上方に屈曲され、車両本体１１の後上方向に延在されてアッパーフレーム２９に接続される。左右対をなすロアーフレーム３０は、その前方側にライダーのためのフットレスト３６を備える。車両本体１１の左側に位置されたロアーフレーム３０は、サイドスタンドブラケット３７を備え、燃料電池二輪車１０を左傾状態で自立させるサイドスタンド３８が揺動自在に設けられる。符号３６ａは同乗者のためのフットレストである。
【００２９】
前輪１２は、フロントフォーク３２に回動自在に軸支される。フロントフォーク３２は、弾性的に伸縮自在なテレスコピック構造に構成されるとともに、前輪１２の上方にフロントフェンダ４１が支持される。フロントフォーク３２の上端部に、操向ハンドル１３が接続される。操向ハンドル１３は、ヘッドパイプ２６周りに回動自在に軸支され、燃料電池二輪車１０のステアリング機構４２を構成する。
【００３０】
モータ１５は、後輪１４を駆動させる燃料電池二輪車１０の電動機である。モータ１５は、スイングアーム３４に一体的に取り付けられ、ユニットスイング式スイングアーム３４を構成する。モータ１５は、減速機構を介して後輪軸に接続され、後輪１４を駆動させる。モータ１５が発生させた駆動力は、減速機構を介して後輪１４に伝達される。
【００３１】
また、車体フレーム１７は、ロアーフレーム３０の後方側の屈曲部に架設されたガードフレーム３９を備える。ガードフレーム３９には、燃料電池二輪車１０を自立させるセンタースタンド４０が揺動自在に設けられる。
【００３２】
このように構成された車体フレーム１７によって車両本体１１は、左右一対のアッパーフレーム２９および左右一対のロアーフレーム３０のメインフレームで囲まれたセンタートンネル領域４４に燃料タンク２１を横臥状態で備え、アッパーフレーム２９の後半部、車両外装１８およびシート１９で囲まれた機器搭載領域４５（機器搭載空間）に燃料電池２０、二次電池２２、電力管理装置２３、およびモータコントローラ（図示せず）を備える。機器搭載領域４５には、車両本体１１の前方側から二次電池２２、電力管理装置２３、燃料電池２０が順次配置される。モータコントローラは、電力管理装置２３の側方、例えば車両本体１１の左側（又は右側）に併設される。また、車体フレーム１７のセンタートンネル領域４４の後方で、かつ機器搭載領域４５の後下方のリアスペース領域４６は、後部ボディカバー５２とリアフェンダ３１の間に形成され、後輪１４の上方に配置される。機器搭載領域４５とリアスペース領域４６との間には、それぞれの領域を区画する隔壁部材４８が設けられる。後輪１４の泥跳ねを防ぐリアフェンダ３１は、後輪１４の後部および上部を覆う一方、後輪１４と共に揺動するようにばね下側に設けられる。
【００３３】
車両外装１８は、車両本体１１の前半部を覆う前部ボディカバーのフロントレッグシールドカバー５０と、車両本体１１の中央上部に位置され、アッパーフレーム２９を、上方から覆う中央ボディカバーのフロントフレームカバー５１と、車両本体１１の後半部に位置され、車両本体１１の側面のうちシート１９の下方部分を覆う後部ボディカバーのリアフレームカバー５２と、を備える。リアフレームカバー５２は、シート１９とともに燃料電池２０、二次電池２２、電力管理装置２３、およびモータコントローラが収容された機器搭載領域４５を構成している。
【００３４】
したがって、機器搭載領域４５は、シート１９とリアフレームカバー５２と隔壁部材４８とで囲まれた密閉的な空間であり、後部ボディカバーのリアフレームカバー５２、もしくは隔壁部材４８の適宜の箇所に通気孔（図示省略）を設けることで、燃料電池２０に供給される反応ガスとしての空気の流れを容易、かつ確実に制御できるとともに、冷却の必要な電気部品に冷却風としての空気の流れを容易、かつ確実に制御できる。なお、機器搭載領域４５は、完全な密閉空間である必要はない。
【００３５】
シート１９は、車両本体１１の後半上部に位置される。シート１９は、タンデム式であり、運転者が着座する前部シート１９ａと、同乗者が着座する後部シート１９ｂとが一体的に形成される。
【００３６】
［燃料電池の配置構成］
燃料電池二輪車１０に備えられる燃料電池２０は、車両本体１１のメインフレーム後部にレイアウトされ、燃料電池２０は、シート１９の下方に区画された機器搭載領域４５の後側に偏倚して前方傾斜状態で配置される。具体的には、燃料電池２０は、同乗者が着座する後部シート１９ｂの下方に配置される。燃料電池２０は、扁平な直方体形状に形成され、反応ガスの導入口を有する吸気面２０ａを前下方に斜め下向きに傾斜して位置される。燃料電池２０の吸気面２０ａは、シート１９の前部シート１９ａと後部シート１９ｂとの段差部分の下方に位置され、車両前方側に斜め下向きに傾斜して設けられる。
【００３７】
また、燃料電池２０の前部には斜め下向き（前下方）に傾斜した吸気ダクト５４が備えられ、燃料電池反応および冷却のため、反応ガスとして反応用兼冷却用の空気は、吸気ダクト５４を通り、燃料電池２０に導入される。燃料電池２０は吸気面の反対側に排気面が対向して形成される。
【００３８】
燃料電池２０は吸気面の前側に、図４に示すように除塵用のフィルタ５５が設けられ、燃料電池２０の排気面の後側に、図５に示すように、排気圧力を均一化する排気プレナム５６を介してファン５７が設置される。燃料電池２０は、吸気面から反応ガスとして空気が吸い込まれる。この空気に含まれる酸素が、燃料タンク２１から供給される燃料の水素ガスと電気化学反応して発電され、発電後に、排気口５８から湿潤な余剰ガスを排気プレナム５６からファン５７により排出している。この過程で、燃料電池２０は反応ガスとしての空気によって冷却され、燃料電池２０の排気口５８は排気ダクト５９に連通している。その際、吸気ダクト５４は流路の圧力損失低減のため、燃料電池２０の吸気面２０ａの断面積とほぼ等しい断面積を持つように設計される。
【００３９】
排気ダクト５９は、図６に示すように、燃料電池２０の車両後方に設けられる。具体的には、排気ダクト５９は燃料電池２０の排気面側に排気プレナム５６およびファン５７を介して設けられ、車両後方のリアコンビネーションランプ６０を迂回するように、上側排気流路６１および下側排気流路６２に分岐され、図７に示すように、上側排気口６３および下側排気口６４により車両後方側および車両後下方側に開口している。
【００４０】
本実施形態の燃料電池二輪車１０の排気ダクト５９は、リアコンビネーションランプ６０下側の下側排気流路６２が、後部ボディカバー５２の下面に下側排気口６４を形成しており、この下側排気口６４はリアフェンダ３１の後輪１４の後方側に向けて開口している。しかも、リアフェンダ３１は後輪１４の上側および後側を覆うようにばね下に取り付けられる。具体的には、リアフェンダ３１は、スイングアーム３４等に一体的に設けられる。
【００４１】
したがって、燃料電池二輪車１０は、後部ボディカバー５２の下面とリアフェンダ３１との間に大きなリアスペース領域４６が形成される。このリアスペース領域４６は燃料電池二輪車１０の車体後部において、車両の左右両側方および後方に大きく開放されている。後部ボディカバー５２に形成される下側排気流路６２の下側排気口６４は大きく開放するリアスペース領域４６に開口しており、下側排気口６４の開口方向は、後輪１４の後部を向くように指向される。しかも、後輪１４が跳ね上げる泥や水は、リアフェンダ３１により抑制され、後輪１４の泥跳ねや水跳ねは、下側排気口６４から排出される排気により、抑えることができる。さらに、排気ダクト５９の下側排気口６４は、車両後部の後部ホディカバー５２と後輪１４との間で、車両走行時に負圧となるリアスペース領域４６の空間に開口しており、下側排気流路６２を通る空気は、負圧空間の吸出し効果により、より排気し易くなる。
【００４２】
また、排気ダクト５９は、燃料電池２０の排気口５８の連通位置よりも上方に配置された上側排気口６３と、大きく開放されたリアスペース領域４６の負圧空間に開口する下側排気口６４とを有することで、未反応の水素ガスを含む湿潤な余剰ガスを確実かつスムーズに車両本体１１の外に排気できる。
【００４３】
その際、排気ダクト５９に形成される下側排気流路６２の下側排気口６４は、リアフェンダ３１が後輪１４と一体的に揺動するようにばね下の後輪を回転自在に支持するスイングアームに取り付けられるので、開口面積の制約を受けることが少なく、大きな開口面積とすることができる。
【００４４】
一方、燃料電池２０は、図４および図５に示すように、単位セルを複数積層して構成された燃料電池スタック６６を備えており、前面に除塵を行なうフィルタ５５が、背面に反応用兼冷却用空気を強制的に送り込む（吸引する）ファン５７が備えられ、燃料電池スタック６６とファン５７の間に、空気の圧力を均圧化するための排気プレナム５６が備えられる。また、排気ダクト５９も、吸気ダクト５４と同様に、流路の圧力損失を少なくするために、断面積を大きく保つ設計が行なわれている。
【００４５】
［燃料タンクの配置］
燃料タンク２１は、図２，図３，図８および図９に示すように、燃料電池２０の燃料としての水素ガスを貯蔵する。燃料タンク２１は、例えば約７０ＭＰａ高圧圧縮水素貯蔵システムである。燃料タンク２１は、車両本体１１の略中央下部のセンタートンネル領域４４に、中央ボディカバー５１で覆われて、その長手軸方向を車両本体１１の前後方向に沿わせて横臥状態で設置される。したがって、燃料タンク２１は、その周囲を一対のアッパーフレーム２９および一対のロアーフレーム３０のメインフレームによって囲まれ、燃料電池二輪車１０の転倒や衝突などの事象に対し、堅牢に保護される。また、燃料タンク２１は、ロアーフレーム３０に設けられた左右のフットレスト３６の間に挟まれる。
【００４６】
また、燃料タンク２１は、例えば車両本体１１の右側に配置されたアッパーフレーム２９と、例えば車両本体１１の左側に配置されたロアーフレーム３０と、の間に架設されたクランプバンド６７によって中央ボディカバー５１内のセンタートンネル領域４４に設けられる。なお、クランプバンド６７は、車両本体１１の左側に配置されたアッパーフレーム２９と、車両本体１１の右側に配置されたロアーフレーム３０と、の間に架設しても良い。
【００４７】
さらに、図８に示すように、燃料タンク２１は、炭素繊維強化プラスチック（ＣＦＲＰ）で構成された圧力容器６８と、電磁弁を用いた遮蔽弁６９と圧力レギュレータ７０とを一体的に有する弁部７１（燃料供給元弁）と、燃料充填口５３を有する燃料充填用継手５４と、を備える。圧力容器６８は両端に半球状の鏡板を有する円柱形状の容器である。
【００４８】
燃料充填用継手７６は、圧力容器６８に連通され、燃料としての水素ガスを燃料充填口７５から圧力容器６８内に導く。燃料充填口７５は、二次電池２２から十分に離間して配置される。具体的には、燃料充填口７５は、多数の機器が収容された機器搭載領域４５の外側であり、上部ダウンフレーム２７の近傍に配置され、中央ボディカバー５１に覆われる。さらに具体的には、燃料充填口７５は、圧力容器６８の前方側鏡板の上方近傍に配置される。
【００４９】
また、燃料充填口７５は、車両本体１１の上方に指向される。燃料タンク２１に燃料を充填するに際し、フロントフレームカバーの中央ボディカバー５１を開放した状態において、燃料充填口７５の上方は、開放された空間になる。したがって、燃料の充填作業において仮に燃料が漏洩しても、漏洩燃料が滞留することはない。さらに、燃料充填口７５は、通常のガソリンエンジンを備えたスクータ型の自動二輪車における燃料給油口と配置を同じくするので、違和感を生じることがない。なお、図２および図９において、符号７７は、車両本体１１の底部側を覆うアンダーカバーである。
【００５０】
一方、燃料電池二輪車１０の車両本体１１を覆う車両外装１８は、中央ボディカバー５１に、外気を取り入れる吸気取入口７８が形成される。吸気取入口７８は、図２に示すように、前輪１２後方であって、中央ボディカバー５１の前側であるカウリング前面に備えられる。車両走行に伴い走行風の外気を強制的に吸い込み、吸気通路（７９）を経て燃料電池２０に導かれるようになっている。
【００５１】
吸気通路７９は、吸気取入口７８から吸い込まれ、中央ボディカバー５１とアンダーカバー７７の車両外装１８（図９参照）で囲まれたセンタートンネル領域４４を経て吸気ダクト５４内に導かれ、燃料電池２０の吸気面に至る。吸気通路７９は、センタートンネル領域４４では燃料タンク２１の周辺に沿って車両長手（前後）方向に導かれ、続いて、隔壁部材４８により車両の斜め後上方に向きが変えられて吸気ダクト２１に案内される。
【００５２】
ところで、燃料電池２０の燃料である燃料ガス（水素ガス）を貯蔵する燃料タンク２１は、車体フレーム１７のメインフレーム２９，３０に囲まれたセンタートンネル領域４４の車両中央に横臥状態で配置される。燃料電池２０に用いられる固体高分子型燃料電池（ＰＥＦＣ）の燃料である水素ガスは、内燃機関車両の燃料であるガソリンや軽油の液体燃料に比べ、ガス燃料のエネルギ密度が低い。このため、燃料電池車両では航続距離延長のために、燃料である水素ガスを高圧状態に圧縮して燃料電池車両に搭載される。本実施形態の燃料電池二輪車１０では、例えば、７０ＭＰａの高圧燃料タンク２１が使用される。燃料タンク２１は、炭素繊維強化プラスチック（ＣＦＲＰ）製でタンク本体が製造される。
【００５３】
また、燃料タンク２１には、後端部に弁部７１が設けられ、この弁部７１により燃料電池２０に燃料ガス（水素ガス）を供給する燃料取出配管である水素供給配管８０が接続される。水素供給配管８０への水素の供給は、後端部の弁部７１に一体に搭載された燃料ガス遮断弁６９により水素供給を遮断することができる。
【００５４】
さらに、燃料タンク２１から燃料電池２０の燃料電池スタック６６に至る水素供給配管８０の途中には、燃料タンク２１の圧力制御を行なう圧力レギュレータ７０および圧力測定のための圧力センサ８１などの水素系部品が備えられる。燃料取出配管である水素供給配管８０および水素系部品（６９，７０，８１）は車体フレーム１７の左右対をなすメインフレーム２９，３０の左右方向内側に配管・配置され、保護される。符号８２は、燃料タンク２１に燃料（水素ガス）を充填させる水素充填配管である。
【００５５】
燃料電池二輪車１０においては、燃料電池２０、燃料タンク２１、二次電池２２、電力管理装置２３、車両モータコントローラ（図示せず）等の車両構成部品が、中央ボディカバー５１、後部ボディカバー５２、アンダーカバー７７およびシート１９に囲まれたスペースに搭載されている。
【００５６】
［二次電池］
二次電池２２は、燃料電池２０の吸気ダクト５４の前方に備えられ、例えば、箱状のリチウムイオン電池で構成される。二次電池２２は、シート１９の下方に区画された機器搭載領域４５の前側に偏倚させて配置されるとともに、燃料タンク２１の圧力容器６８の後方側鏡板の上方に配置される。さらに具体的には、二次電池２２は、ライダーが着座するシート１９の前部シート１９ａの下方に配置され、燃料電池二輪車１０の仮想的な水平面に略直立される。この燃料電池二輪車１０は、燃料電池２０と二次電池２２を電源に持つハイブリッド車両である。二次電池２２は燃料電池２０と並列にモータコントローラ（負荷）に接続され、交流電力に変換してモータ１５の駆動用電力を供給するとともに、減速時の回生エネルギを吸収している。
【００５７】
なお、燃料電池二輪車１０は、二次電池２２の他に、メータ類（図示省略）、ランプ類（図示省略）用の電源として、例えば１２Ｖ系の電力を供給できる二次電池２２を備える。二次電池２２は、燃料タンク２１の圧力容器６１の側方、例えば車両本体１１の右側方に配置される。二次電池２２は、燃料充填口７５よりも下方であるとともに、燃料タンク２１の弁部７１よりも車両本体１１の前方に配置される。仮に燃料である水素ガスが燃料充填口７５から漏洩しても、水素ガスは燃料電池二輪車１０の上方に向かって上昇するので、車内に滞留することなく、車外に拡散する。また、燃料である水素ガスが弁部７１から漏洩しても、水素ガスはリアスペース領域４６に向かって移動するので、車内に滞留することなく、車外に拡散する。
【００５８】
電力管理装置２３は、二次電池２２と燃料電池２０とに挟まれて配置される。また、電力管理装置２３は、二次電池２２と燃料電池２０との間隙に設けて保持される。電力管理装置２３に並設されたモータコントローラも、電力管理装置２３と同様に、二次電池２２と燃料電池２０とに挟まれるとともに、二次電池２２と燃料電池２０との間隙に設けられて保持される。
【００５９】
このように、二次電池２２と、電力管理装置２３と、モータコントローラ（図示せず）と、燃料電池２０とを配置することによって、電気的接続が隣り合う装置を極力近接させて配置することが可能であり、装置間の配線長を短く、配線に係る重量を軽くすることができる。
【００６０】
電力管理装置２３は、モータコントローラと並設される。具体的には、モータコントローラ１８は、車両本体１１の左側に配置され、電力管理装置２３は車両本体１１の右側に配置される。
【００６１】
［燃料電池の発電原理］
本実施形態に備えられる燃料電池二輪車１０は、燃料電池２０を車両駆動モータ１５の電力源として用いたものである。
【００６２】
燃料電池二輪車１０に搭載される燃料電池２０は、燃料である水素ガスと反応ガスである空気（酸素）とを電気化学反応により発電し、この発電に付随して水が生成される燃料電池システムである。
【００６３】
燃料電池システムの燃料電池２０は、通常、セルと呼ばれる最小構成単位を多数積層して燃料電池スタック６６を構成している。通常の固体高分子型燃料電池（ＰＥＦＣ）において、図１０に示すように、セル１００は、水素および空気（酸素）をそれぞれ供給するアノード極１０１とカソード極１０２に挟まれて拡散層１０３，１０４および反応活性化のための触媒層１０５，１０６、そして中央に水素イオンを選択的に透過させる電解質膜１０７を配している。
【００６４】
アノード極１０１に供給された水素分子は、アノード極１０１の電解質膜１０７の表面にある触媒層１０５において活性な水素原子となり、さらに水素イオンとなって電子を放出する。
【００６５】
アノード極（陽極）１０１におけるこの陽極反応は（式１）で表わされる。  
Ｈ２→２Ｈ＋＋２ｅ−      ……（式１）
【００６６】
（式１）により発生した水素イオンは、電解質膜１０７に含まれる水分を伴ってアノード極１０１側からカソード極１０２側へと電解質膜１０７中を移動し、また電子は外部回路１０８を通じてカソード極１０２に移動する。この電子の移動により、外部回路１０８に介装された負荷（例えば、車両駆動モータ）１０９には、電流が流れる。
【００６７】
一方、カソード極１０２に供給された空気中の酸素分子は、触媒層１０６において外部回路１０８から供給された電子を受け取り酸素イオンとなり、電解質膜１０７を移動してきた水素イオンと結合して水となる。カソード極（陰極）１０２におけるこの負極の反応は、（式２）で表される。  
１／２０２＋２Ｈ＋＋２ｅ−→Ｈ２０    ……（式２）
【００６８】
このようにして生成された水分の一部は、濃度拡散によりカソード極１０２からアノード極１０１へと移動する。（式１）と（式２）の電気化学反応において、セル１００内部では電解質膜１０７や電極の電気抵抗に起因する抵抗過電圧、水素と酸素が電気化学反応を起こすための活性化過電圧、拡散層１０３，１０４中を水素や酸素が移動するための拡散過電圧など様々な損失が発生し、それにより発生した廃熱を冷却する必要がある。
【００６９】
［燃料電池システム］
燃料電池２０には、発生した廃熱を冷却するものとして、水冷式と空冷式の燃料電池システムがある。
【００７０】
水冷式燃料電池システムは、比較的に大電力を発電可能であるが、冷却システムにラジエータ、冷却水ポンプ、リザーバタンク、配管類が必要であり、燃料電池スタックの出力密度を向上させるために、吸気空気を圧縮するコンプレッサを始めとして多くの補機類が備えられる。このため、水冷式燃料電池システムは、システムの複雑化、大型化、重量化、高コスト化を招いている。
【００７１】
これに対し、コンプレッサやラジエータ、冷却水ポンプ等の補機類を極力廃し、燃料電池２０の冷却に空冷方式を採用し、システム構成を簡素化した空冷式の燃料電池システムが用いられる。本実施形態の燃料電池２０は、燃料に水素ガスを用いたシンプルな空冷式燃料電設置システムが用いられる。
【００７２】
図１１は、燃料に水素ガスを用いた空冷式燃料電池システム１１０を示している。空冷式燃料電池システム１１０は、水冷式燃料電池システムと同様、最小構成単位のセルを多数積層した燃料電池スタック６６を備え、燃料電池スタック６６に水素ガスを供給する水素ガス供給装置１１１を備えている。水素ガス供給装置１１１は、燃料タンク２１として高圧の燃料タンク（水素タンク）２１に貯蔵した圧縮水素ガスを、水素供給配管８０により圧力レギュレータ７０を介して燃料電池スタック６６のアノード吸気部１１２に導入する。その際、燃料（水素）ガスの断熱膨張による温度低下で、燃料タンク（水素タンク）２１、水素供給配管８０、圧力レギュレータ７０を始めとする水素系部品が積極的に冷却される。
【００７３】
また、カソード吸気部１１３に供給された空気は、水素との反応ガスとして燃料電池スタック６６内に多数積層したセルにおける発電反応に供するのみでなく、冷却媒体として燃料電池スタック６６における廃熱を奪い、燃料電池スタック６６を冷却する役割を有している。
【００７４】
水素との反応後の余剰空気及び燃料電池スタック６６を冷却後の空気は、図１１に示すように、燃料電池スタック６６のカソード排気部１１４からカソード排気として排気ダクト５９に排出され、外気に放出される。燃料電池スタック６６で発電に使用されなかった余剰水素ガスは、アノード排気部１１５からアノード排気として水素パージ配管１１６に排出される。水素パージ配管１１６は、排気ダクト５９の途中に接続されている。水素パージ配管１１６に排出されたアノード排気は、パージ弁１１７を経て排気ダクト５９のカソード排気に混入される。アノード側の水素ガスパージを行う際には、排気水素ガスをカソード排気により可燃下限濃度以下に希釈して外気に放出する。
【００７５】
このように、低圧のブロアファン１１８により反応ガス兼冷却媒体としての空気の供給を行う空冷式の燃料電池システム２０においては、消費電力の低下やシステムの小型・軽量・簡素化が図られる一方で、空気流量の制限により水冷式の燃料電池システムに比べて冷却能力が相対的に低く、故に燃料電池スタック６６の運転可能な温度範囲が狭いことがある。このため、夏季などの高温時に燃料電池スタック６６のオーバーヒートに繋がる懸念がある。
【００７６】
本実施形態では、図２および図１１に示すように、燃料電池二輪車１０の中央ボディカバー５１車両前面の吸気取入口７８から取り入れられた空気（外気）は吸気通路７９を通って燃料電池２０に導かれる。その際、吸気取入口７８は車両前面に備えられているために、車両走行時の正圧が、吸気取入口７８から取り入れられる空気（外気）に作用して、空気は吸気通路７９を経て燃料電池２０側に強制的に押し込まれる。これにより、燃料電池２０のファン５７の回転数を低減させることができ、ファン５７の消費電力を低減させることができる。
【００７７】
また、燃料電池２０へ供給する燃料タンク２１から水素を放出する際の断熱膨張効果により燃料タンク２１は冷却される。その結果、燃料タンク２１の周りを通過する反応用兼冷却用の空気は積極的に冷却され、燃料電池２０の冷却効果が向上するとともに、要求風量を節約することができる。結果的にファン５７の負荷を減らすことができるので使用電力の節約に効果がある。
【００７８】
燃料タンク２１は車両の中心軸線と平行に搭載して後端部に燃料ガス取出し（水素供給）配管８０および燃料ガス遮断弁６９を配置している。また、燃料電池二輪車１０は、空冷式燃料電池２０から前方に延びる吸気ダクト５４が、吸気取入口を下向きに開口してこの開口が燃料タンク２１の燃料ガス取出し（水素供給）配管８０および燃料ガス遮断弁６９を上側から覆うように配置される。
【００７９】
これにより、燃料タンク２１の本体はＣＦＲＰ（炭素繊維強化プラスチック）で形成されており、断熱膨張による燃料ガスの熱が伝わり難く温度が下がり難いが、燃料タンク２１の後端部（弁部７１）に設けられて内部の燃料ガスを出し入れする燃料取出配管８０の接続部分はアルミ合金で形成されていて燃料ガスの熱が伝わり易くかつ燃料タンク２１の中で最も温度が低くなる箇所である。最も温度が低くなる箇所と吸気ダクト５４の吸気取入口７８を接近して配置すれば、より温度の低い空気を供給することが可能になる。
【００８０】
空冷式の燃料電池がより大きな起電力を得るにはより大量の水素ガス燃料を消費して燃料電池２０の温度が上昇してより大量の冷却空気で冷却する必要がある。燃料タンク２１が水素ガス燃料を多く供給すれば、燃料タンク２１はより温度が下がる。この燃料タンク２１によって吸入空気の温度が下がるので、燃料電池２０の起電力の増減にも効果を発揮することができる。
【００８１】
［燃料電池の吸気通路］
燃料電池二輪車１０は、車両本体１１の後部に配置されたシート１９と共に左右上下から覆う後部ボディカバー５２と、車体中央部を左右上下から覆う中央ボディカバー５１と、車両本体１１の前部を前方から覆う前部ボディカバー５０とから、車両本体１１を覆う車両外装１８が構成される。
【００８２】
中央ボディカバー５２で車両前方に開口する吸気取入口７８からの吸気通路７９を構成したので、吸気通路７９を形成する専用の部品が不要となり、部品削減により重量およびコストの低減を図ることができ、燃料電池二輪車１０のコンパクト化が図れる。
【００８３】
その上、燃料電池二輪車１０は、燃料タンク２１を車体中央部に配置する一方、燃料電池２０は燃料タンク２１よりも後方のシート１９および後部ボディカバー５２で覆われた車体後部に配置される。そして、中央ボディカバー５１の前部に車両前方に開口する吸気取入口７８を設けて燃料タンク２１の周囲を車両後方側に空気が流れる吸気通路７９に形成され、この吸気通路７９は燃料タンク２１の後端部（弁部）７１から燃料電池２０に向って後上方に、斜めに延びる吸気ダクト５４を設けられる。
【００８４】
このため、吸気通路７９の吸気取入口７８を車両の進行方向前方に向けて形成することができ、車両走行による走行風を取り入れることができるので送風（吸入）ファンの負荷を減らすことができ、使用電力の節約に効果がある。
【００８５】
さらに、車両外装１８で取り囲まれたセンタートンネル領域４４の吸気通路７９内に設けられた燃料タンク２１および水素系部品は、メインフレーム２９，３０の内側に配置される。したがって、燃料タンク２１や水素系部品は外部からの機械的・物理的ダメージから保護される一方、吸気通路７９に案内される吸入空気は、燃料タンク２１や水素系部品の搭載部を通過するために、吸入空気は、燃料である水素ガスの断熱膨張による冷却作用により、積極的に冷却され、吸入温度の温度低減を図ることができる。
【００８６】
また、中央ボディカバー５１、後部ボディカバー５２、シート１９およびアンダーカバー７７からなる車両外装１８で囲まれた車両内部を、吸気取入口７８から燃料電池２０に至る吸気パスとすることができ、燃料タンク２１および水素系部品を通過して冷却された冷却空気と吸気ダクト５４により燃料電池２０に積極的に導くことができるので、燃料電池２０は有効的に効率よく冷却される。
【００８７】
燃料電池二輪車１０は、車体中央部の上下高さが前記車体後部に配置されたシート１９の座面よりも低く形成されて左右にフットレスト３６を設けると共にこの左右のフットレスト３６の間が上向きに膨らんで車体中央部を前後に亘って延びるセンタートンネル領域４４を形成し、このセンタートンネル領域４４に燃料タンク２１が配置される。
【００８８】
吸気通路７９を形成する中央ボディカバー５１の横断面積が燃料タンク２１の大きさに合わせて形成できるので、通過する空気と燃料タンク２１との接触確率が高まり、空冷式燃料電池２０に供給する吸入空気と燃料タンク２１との間の熱交換率が向上して、吸入空気全体の温度を低下させることができる。
【００８９】
一方、燃料電池２０は、燃料ガスとしての水素と反応ガスとしての酸素との電気化学反応により発電が行なわれるが、この電気化学反応には適切な反応温度がある。低温下や高温下では反応効率が低下し、特に高温になり過ぎると、燃料電池２０の電子寿命が損なわれる。
【００９０】
しかし、本実施形態の燃料電池二輪車１０では、燃料電池２０に供給される反応ガスとしての流入空気を、燃料タンク２１やその水素系部品廻りを通すことで、燃料としての水素ガスの断熱膨張作用より積極的に冷却することができる。燃料電池２０への吸入空気は燃料ガスの断熱膨張を利用した冷却作用より冷却されるので、周囲環境によって異常な温度になるのを確実かつ有効的に防止することができる。したがって、燃料電池スタック６６は効率的に冷却され、長寿命化を図ることができる。
【００９１】
本実施形態においては、空冷式燃料電池システムの燃料電池２０が、大きな起電力を行なうためには、大量に水素ガス燃料を消費すると、燃料電池２０の温度が上昇するために、燃料電池２０はより大量の冷却空気で冷却する必要がある。この燃料電池二輪車１０では、燃料タンク２１から燃料電池２０に水素ガス燃料を多く供給すれば、燃料ガスの断熱膨張効果による冷却作用が大きくなり、燃料タンク２１および水素系部品は冷却され、より温度が低下する。吸気通路７９に配置された燃料タンク２１や水素系部品により燃料電池２０の吸入空気の温度が下がるので、燃料電池２０の起電力が増減する双方で、燃料電池２０の効率的な発電に寄与することができる。
【００９２】
［燃料電池の排気通路］
燃料電池２０において燃料ガスとしての水素ガスと反応ガスとしての空気に含まれる酸素との電気化学反応より発電が行なわれる。燃料電池２０の背面側には、排気プレナム５６を介してファン５７が備えられ、ファン５７の車両後方側に燃料電池２０からの排気を車両外部に排出する排気ダクト５９が備えられる。排気ダクト５９は燃料電池２０からの排気を車両外部に排出する排気通路を構成している。排気ダクト５９内の排気通路（流路）は、圧力損失を軽減するために、燃料電池２０の吸気側と同様、断面積を大きく保つように設計されている。
【００９３】
また、本実施形態の燃料電池二輪車１０では、図６および図７に示すように、排気ダクト５９は、車両後部のリアコンビネーションランプ６０を避けるように、リアコンビネーションランプ６０を迂回する上側排気流路６１と下側排気流路６２とに分岐された２つの排気流路が設けられる。リアコンビネーションランプ６０上側を通る上側排気流路６１は略水平方向に延び、上側排気口６３から車両後方に開口している。リアコンビネーションランプ６０下側を通る下側排気流路６２は、後部ボディカバー５２の後端側下面に下側排気口６４が開口している。
【００９４】
排気ダクト５９の下側排気流路６２は、後部ボディカバー５２の下面（底面）と後輪１４を覆うリアフェンダ３１との間に形成されるリアスペース領域４６に下側排気口６４が開口している。下側排気流路６２の下側排気口６４は、リアフェンダ３１の接線方向へ後下向きに指向するように形成される。下側排気流路６２の下側排気口６４をリアフェンダ３１の接線方向へ後下向きに排気するように形成したので、後輪１４が跳ね上げた泥跳ねや水跳ねの捲込みを抑制することができる。
【００９５】
ところで、燃料電池二輪車１０の車両後部に形成されるリアスペース領域４６は、後部ボディカバー５２の下面とリアフェンダ３１との間に位置しており、リアスペース領域４６は車両の両外側方および後方に大きく開口している。リアスペース領域４６は、燃料電池二輪車１０の車両走行に伴い負圧が生じる空間である。
【００９６】
本実施形態では、排気ダクト５９の下側排気流路６２の下側排気口６４を後部ボディカバー５２の下面に開口させることで、下側排気口６４はリアスペース領域４６の車両走行時負圧空間に開口している。したがって、ばね下に取り付けられたリアフェンダ３１上方のリアスペース領域４６の車両走行時の負圧空間を、燃料電池２０（燃料電池スタック６６）の排気開口部として利用することができ、排気ダクト５９の排気通路（流路６１，６３）は、従来の燃料電池二輪車より大きな開口面積を得ることができ、圧力損失を大幅に低減させることができる。
【００９７】
さらに、排気ダクト５９の下側排気流路６２は、車両後部（後部ボディカバー５２下面）と後輪１４直上のリアフェンダ３１との間のリアスペース領域４６に下側排気口６４を開口させたので、燃料電池２０からの排気を車両後部と後輪１４との間の負圧空間に排気することができ、吸出し効果により排気がスムーズに行なわれる、より排気し易い構造となっている。結果的に、ファン５７の負荷を減らすことができ、使用電力を節約することができる。加えて、下側排気流路６２の下側排気口６４の開口方向が後輪１４の後部を向いているために、吹き出される排気により、泥跳ねや水跳ねを最小限に抑えることができる。
【００９８】
本実施形態では、後輪１４の泥跳ねや水跳ねを防ぐリアフェンダ３１を後輪１４と共に上下に揺動するようにばね下側に設けたので、従来の二輪車両ではリアフェンダの泥除け面を構成していた後部ボディカバーの下側面に、排気ダクト５９の下側排気流路６２の下側排気口６４を形成することができる。本実施形態の燃料電池車では、従来の二輪車両の後部ボディカバー後端面に後向きに開口する排気口を形成するより大きな開口面積を得ることができ、圧力損失を大幅に低減できる。
【００９９】
本発明の実施形態においては、スクータ型自動二輪車の燃料電池二輪車に適用した例を説明したが、燃料電池を搭載した自動二・三輪車やバギー車両等の鞍乗型車両に適用することもできる。
【符号の説明】
【０１００】
１０…燃料電池二輪車、１１…車両本体、１２…前輪、１３…操向ハンドル、１４…後輪、１５…モータ（車両駆動モータ）、１７…車体フレーム、１８…車両外装、１９…シート（運転シート）、２０…燃料電池（空冷式燃料電池システム）、２１…燃料タンク、２２…二次電池、２３…電力管理装置、２６…ヘッドパイプ、２７…上部ダウンフレーム、２８…下部ダウンフレーム、２９…アッパーフレーム、３０…ロアーフレーム、３１…リアフェンダ、３２…フロントフォーク、３３…ピボット、３４…スイングアーム、３５…リアクッションユニット、３６…フットレスト、３７…サイドスタンドブラケット、３８…サイドスタンド、３９…ガードフレーム、４０…センタースタンド、４１…フロントフェンダ、４２…ステアリング機構、４４…センタートンネル領域、４５…機器搭載領域、４６…リアスペース、４８…隔壁部材、５０…前部ボディカバー（フロントレッグシールドカバー）、５１…中央ボディカバー（フロントフレームカバー）、５２…後部ボディカバー（リアフレームカバー）、５４…吸気ダクト、５５…フィルタ、５６…排気プレナム、５７…ファン、５８…排気口、５９…排気ダクト、６０…リアコンビネーションランプ、６１…上側排気流路、６２…下側排気流路、６３…上側排気口、６４…下側排気口、６６…燃料電池スタック、６７…クランプバンド、６８…圧力容器、６９…遮断弁、７０…圧力レギュレータ、７１…弁部、７５…燃料充填口、７６…燃料充填用継手、７７…アンダーカバー、７８…吸気取入口、７９…吸気通路、８０…水素供給配管（燃料取出配管）、８１…圧力センサ、８２…水素充填配管、１００…セル、１０１…アノード極（陽極）、１０２…カソード極（陰極）、１０３，１０４…拡散層、１０５，１０６…触媒層、１０７…電解質膜、１０８…外部回線、１０９…負荷（車両駆動モータ）、１１０…空冷式燃料電池システム、１１１…水素ガス機器装置、１１２…アノード吸気部、１１３…カソード吸気部、１１４…カソード排気部、１１５…アノード排気部、１１６…水素パージ配管、１１７…パージ弁、１１８…ブロアファン。
【図１】
2015077916.tif 000003
【図２】
2015077916.tif 000004
【図３】
2015077916.tif 000005
【図４】
2015077916.tif 000006
【図５】
2015077916.tif 000007
【図６】
2015077916.tif 000008
【図７】
2015077916.tif 000009
【図８】
2015077916.tif 000010
【図９】
2015077916.tif 000011
【図１０】
2015077916.tif 000012
【図１１】
2015077916.tif 000013